(57)【要約】【課題】データチャネルおよび冗長チャネルの設定を柔軟にし、送受信部の利用効率を高めることのできる伝送システムを提供する。【解決手段】送信装置は、フレーム処理部と、冗長チャネル処理部と、送受信部と、チャネル選択部とを備える。フレーム処理部は、分割フレームを生成し、分割フレームのそれぞれに誤り検出信号を付加し、誤り検出信号を付加した分割フレームを複数のデータチャネルに出力する。冗長チャネル処理部は、分割フレームの復元を可能とする復元情報を含む１以上の冗長フレームを前記分割フレームから生成してデータチャネルに出力する。送受信部は、分割フレームおよび冗長フレームを、伝送路に出力する。チャネル選択部は、前記分割フレームおよび前記冗長フレームを、それぞれ割り当て可能な前記送受信部に割り当てる。【選択図】図１
2020010180.tif 000002
【特許請求の範囲】
【請求項１】
フレームを１以上に分割して分割フレームを生成し、生成した前記分割フレームのそれぞれに誤り検出信号を付加し、誤り検出信号を付加した前記分割フレームを複数のデータチャネルに出力するフレーム処理部と、
前記分割フレームの誤りが検出された際に前記分割フレームの復元を可能とする復元情報を含む１以上の冗長フレームを前記分割フレームから生成してデータチャネルに出力する冗長チャネル処理部と、
前記フレーム処理部から出力された前記分割フレーム、および前記冗長チャネル処理部から出力された前記冗長フレームを、伝送路に出力する送受信部と、
前記分割フレームおよび前記冗長フレームを、それぞれ割り当て可能な前記送受信部に割り当てるチャネル選択部と、
を備える送信装置。
【請求項２】
１以上の前記冗長チャネル処理部を有する冗長チャネル処理群、
を備え、
２以上の前記フレーム処理部が、前記冗長チャネル処理群を共有し、
前記冗長チャネル処理群は、任意の前記フレーム処理部が出力した前記分割フレームを基に、前記冗長チャネル処理群が生成可能な冗長フレーム数を上限とした数の冗長フレームを生成する、
請求項１に記載の送信装置。
【請求項３】
フレームを１以上に分割し且つ誤り検出符号を付加することによって生成された分割フレームを、または前記分割フレームの伝送エラー時に前記分割フレームの復元を可能とする復元情報を含むよう生成された冗長フレームを、伝送路から入力する送受信部と、
前記送受信部から渡される前記分割フレームに付加された前記誤り検出符号により誤り検出の処理を行うとともに、誤りが検出されなかった場合には当該分割フレームに基づき、また誤りが検出された場合には前記冗長フレームを用いて復元された前記分割フレームに基づき、前記フレームを出力するフレーム処理部と、
前記フレーム処理部が前記誤り検出符号に基づいて誤りを検出した場合に、前記冗長フレームに含まれる復元情報と、異常が検出されなかったデータチャネルの前記分割フレームとに基づいて、異常が検出されたデータチャネルの分割フレームを復元する冗長チャネル処理部と、
を備える受信装置。
【請求項４】
請求項１または２に記載の送信装置と、
請求項３に記載の受信装置と、
前記送信装置における前記フレーム処理部から送出される分割フレームに対して、前記送信装置における前記冗長チャネル処理部から送出される冗長チャネル数と、前記送信装置における前記チャネル選択部にて選択される送受信部とを、設定するオペレーションシステムと、
を有する伝送システム。
【発明の詳細な説明】
【技術分野】
【０００１】
本発明は、送信装置、受信装置、および伝送システムに関する。
【背景技術】
【０００２】
通信網におけるトラフィックの大容量化に対応するために、伝送システムにおいては、主信号から生成されたフレームを並列に分割し、複数のデータチャネルに割り当てて伝送を行う方法が一般的となりつつある。一方で、データチャネルを生成する送受信部の信頼性はトラフィック量によらず一定であるため、複数の送受信部のうちいずれかの故障が発生する確率は、トラフィック増加に伴うデータチャネルの並列数の増加に比例して高くなる。
【０００３】
上記の故障の発生に対処するため、クライアント信号から生成されるフレームに対して冗長処理を加え、主信号の含まれるデータチャネルに加えて冗長チャネルとして並列伝送する方法が考案されている（特許文献１）。この方法では、前記フレームを複数の送受信部で各々データチャネルに割り当てた構成において、任意の箇所のデータチャネルに障害が発生した際に、障害の発生したデータチャネルを検出する。そして、この方法では、障害の発生していないデータチャネルに含まれるフレームと、冗長チャネルに含まれる復元情報とから、障害の発生したデータチャネルに含まれるフレームを復元する。これにより、任意の送受信部あるいは伝送路に障害が発生しても、通信の瞬断が発生することなく通信を継続することができる。
【先行技術文献】
【特許文献】
【０００４】
【特許文献１】特開２０１６−２０８１９０号公報
【発明の概要】
【発明が解決しようとする課題】
【０００５】
しかしながら、上記の従来技術による伝送方法では、生成された分割フレームに対して固定的な送受信部が割り当てられることにより、送受信部の利用効率が低い場合があるという課題がある。
【０００６】
図６は、従来技術における課題を説明するための例を示す概略図である。図示する状況において、クライアント１は、データを伝送する２つのデータチャネルと、それらのいずれかが故障した際に切り替わる１つの冗長チャネルを有する。また、クライアント２は、２つのデータチャネルと２つの冗長チャネルを有する。ここで、クライアント１のデータチャネルのうち１つの送受信部に障害が発生した場合、クライアント１の冗長チャネルを用いることによって通信断を防ぐことができる。ここで、冗長チャネルを用いたことによって、クライアント１の冗長度は０になってしまう。クライアント１の冗長度が０になることを回避するためには、クライアント２が持つ２つの冗長チャネルのうち１つの送受信部をクライアント１と共有することができればよい（図６の破線で示す割り当て）。これができる場合には、クライアント１、２とも冗長チャネルを確保することができる。しかしながら、送受信部が個々のクライアントに対して固定的に設定されている場合や、各々のクライアントが異なる宛先に設定されている場合には、送受信部の障害によって発生した空きチャネルに対し、冗長チャネルに割り当てられていた送受信部を割り当てることができない場合が発生し得る。
【０００７】
本発明は、上記の課題認識に鑑み為されたもので、データチャネルおよび冗長チャネルの設定を柔軟にし、送受信部の利用効率を高めることのできる送信装置、受信装置、および伝送システムを提供する。
【課題を解決するための手段】
【０００８】
［１］上記の課題を解決するため、本発明の一態様による送信装置は、フレームを１以上に分割して分割フレームを生成し、生成した前記分割フレームのそれぞれに誤り検出信号を付加し、誤り検出信号を付加した前記分割フレームを複数のデータチャネルに出力するフレーム処理部と、前記分割フレームの誤りが検出された際に前記分割フレームの復元を可能とする復元情報を含む１以上の冗長フレームを前記分割フレームから生成してデータチャネルに出力する冗長チャネル処理部と、前記フレーム処理部から出力された前記分割フレーム、および前記冗長チャネル処理部から出力された前記冗長フレームを、伝送路に出力する送受信部と、前記分割フレームおよび前記冗長フレームを、それぞれ割り当て可能な前記送受信部に割り当てるチャネル選択部と、を備える。
【０００９】
［２］また、本発明の一態様は、上記の送信装置において、１以上の前記冗長チャネル処理部を有する冗長チャネル処理群、を備え、２以上の前記フレーム処理部が、前記冗長チャネル処理群を共有し、前記冗長チャネル処理群は、任意の前記フレーム処理部が出力した前記分割フレームを基に、前記冗長チャネル処理群が生成可能な冗長フレーム数を上限とした数の冗長フレームを生成する、ものである。
【００１０】
［３］また、本発明の一態様による受信装置は、フレームを１以上に分割し且つ誤り検出符号を付加することによって生成された分割フレームを、または前記分割フレームの伝送エラー時に前記分割フレームの復元を可能とする復元情報を含むよう生成された冗長フレームを、伝送路から入力する送受信部と、前記送受信部から渡される前記分割フレームに付加された前記誤り検出符号により誤り検出の処理を行うとともに、誤りが検出されなかった場合には当該分割フレームに基づき、また誤りが検出された場合には前記冗長フレームを用いて復元された前記分割フレームに基づき、前記フレームを出力するフレーム処理部と、前記フレーム処理部が前記誤り検出符号に基づいて誤りを検出した場合に、前記冗長フレームに含まれる復元情報と、異常が検出されなかったデータチャネルの前記分割フレームとに基づいて、異常が検出されたデータチャネルの分割フレームを復元する冗長チャネル処理部と、を備える。
【００１１】
［４］また、本発明の一態様による伝送システムは、上の［１］または［２］に記載の送信装置と、上の［３］に記載の受信装置と、前記送信装置における前記フレーム処理部から送出される分割フレームに対して、前記送信装置における前記データチャネル処理部から送出される冗長チャネル数と、前記送信装置における前記チャネル選択部にて選択される送受信部とを、設定するオペレーションシステムと、を有する。
【発明の効果】
【００１２】
本発明によれば、主信号から生成された複数の分割フレームと、冗長チャネルに含まれるフレームとが、複数の送受信部を共有する。これにより、分割フレームの各々を、送受信部で生成される任意のデータチャネルに割り当て、さらに、これらに対して任意数の冗長チャネル数を付与する。これにより、データチャネルおよび冗長チャネルの設定を、瞬断を発生させることなく柔軟かつ効率的に実現できる。
【図面の簡単な説明】
【００１３】
【図１】本発明の第１実施形態による伝送システムの概略機能構成を示すブロック図である。
【図２】同実施形態の第１の適用例を示す概略図である。
【図３】同実施形態の第２の適用例を示す概略図である。
【図４】本発明の第２実施形態による伝送システムの概略機能構成を示すブロック図である。
【図５】本発明の第３実施形態による伝送システムの概略機能構成を示すブロック図である。
【図６】従来技術における課題を説明するための例を示す概略図である。
【発明を実施するための形態】
【００１４】
次に、本発明の実施形態について、図面を参照しながら説明する。
【００１５】
［第１実施形態］
図１は、第１実施形態による伝送システムの概略機能構成を示すブロック図である。図示するように、この伝送システムは、伝送路１０１と、その端点における通信ノード装置１および２とを含んで構成される。通信ノード装置１は送信側の通信ノード装置（送信装置）であり、通信ノード装置２は受信側の通信ノード装置（受信装置）である。同図では信号の流れを片方向（通信ノード装置１から通信ノード装置２への方向）のみ示しているが、通信ノード装置が送信側と受信側の両方の機能を備えることにより、双方向の通信も容易に実現可能である。
【００１６】
送信側である通信ノード装置１は、複数のフレーム処理部２１と、複数の冗長チャネル処理部２２と、チャネル選択部２３と、複数の送受信部２４とを含んで構成される。
受信側である通信ノード装置２は、複数のフレーム処理部６１と、複数の冗長チャネル処理部６２と、チャネル選択部６３と、複数の送受信部６４とを含んで構成される。
なお、本実施形態では、通信ノード装置１において、各フレーム処理部２１に対して１つの冗長チャネル処理部２２が設けられている。また、通信ノード装置２において、各フレーム処理部６１に対して１つの冗長チャネル処理部６２が設けられている。
【００１７】
通信ノード装置１（送信側）を構成する各部の機能は次のとおりである。
フレーム処理部２１は、伝送システムに対して入力されたクライアント信号（分割される前のフレーム）を基に、１以上の分割した分割フレームを生成する。ここで、フレーム処理部２１は、生成される分割フレームに誤り検出信号を付加する。この誤り検出信号を付加することにより、受信側の通信ノード装置２は、どのチャネルに障害が発生したかを検知することが可能となる。
フレーム処理部２１は、誤り検出信号を付加した分割フレームを複数のデータチャネルに出力する。
【００１８】
冗長チャネル処理部２２は、フレーム処理部２１が生成した分割フレームに基づいて、１以上の冗長フレームを生成する。当該冗長フレームは、受信側の通信ノード装置２で使用することのできる復元情報を含むものである。受信側の通信ノード装置２は、データチャネルのうち一部チャネルに障害が検知された際に、障害が検知されていない正常なデータチャネルと、当該冗長フレームに含まれる復元情報を用いて、障害が検知されたチャネルに含まれる伝送フレームを復元する。分割フレームと同様に、冗長フレームに誤り検出符号が付加されていてもよい。冗長チャネル処理部２２が生成することが可能な冗長チャネル数は１以上である。冗長チャネル数が１よりも大きい場合には、１つの冗長フレームを複製することで複数の冗長チャネルを構成してもよく、また、M-out-of-N符号化を用いてもよい。
つまり、冗長チャネル処理部２２は、分割フレームの誤りが検出された際に分割フレームの復元を可能とする復元情報を含む１以上の冗長フレームを分割フレームから生成して、データチャネルに出力する。
【００１９】
チャネル選択部２３は、クライアント信号を基にフレーム処理部２１が生成した分割フレーム、および冗長チャネル処理部２２が生成した冗長フレームを複数収容し、これらのフレームを、それぞれ送受信部２４に割り当てる。チャネル選択部２３がフレームの割り当て先として選択する送受信部は任意である。例えば、あるフレーム処理部２１によって生成されたフレームが２つの送受信部２４に割り当てられ、それら２つの送受信部２４の間にある別の送受信部２４に別のフレーム処理部２１によって生成されたフレームが割り当てられてもよい。
つまり、チャネル選択部２３は、分割フレームおよび冗長フレームを、それぞれ割り当て可能な送受信部２４に割り当てる。
【００２０】
送受信部２４は、割り当てられたフレームを伝送路に送出する。なお、送受信部２４は、フレームを送出するにあたって、ＦＥＣ（Forward Error Correction，前方誤り訂正）による誤り訂正符号を付加する機能を有していてもよい。
つまり、送受信部２４は、フレーム処理部２１から出力された分割フレーム、および冗長チャネル処理部２２から出力された冗長フレームを、伝送路に出力する。
【００２１】
送受信部２４から送出された伝送信号は、伝送路を介して、宛先である受信側の通信ノード装置２の送受信部６４に到達する。宛先となり得るノードが複数存在する場合には、伝送路区間において、クロスコネクト部（不図示）により各送受信部の方路選択が行われる。
【００２２】
受信側の通信ノード装置２では、送信側の通信ノード装置１における処理とは逆の受信処理を行う。すなわち、下の通りである。
送受信部６４は、伝送信号を受信する。送受信部６４は、必要に応じて誤り訂正処理を行う。送受信部６４は、受信した伝送フレームおよび冗長フレームを、チャネル選択部６３に渡す。つまり、送受信部６４は、フレームを１以上に分割し且つ誤り検出符号を付加することによって生成された分割フレームを、または分割フレームの伝送エラー時に分割フレームの復元を可能とする復元情報を含むよう生成された冗長フレームを、伝送路から入力する。
【００２３】
チャネル選択部６３は、送受信部６４から渡された各々の伝送フレームおよび冗長フレームを、適切なフレーム処理部６１あるいは冗長チャネル処理部６２に振り分ける。
【００２４】
冗長チャネル処理部６２は、冗長フレームに含まれる復元情報と誤りが検出されていない伝送フレームとに基づいて、伝送フレームを復元する。なお、下記のフレーム処理部６１が伝送フレームの誤りを検出した場合にのみ、冗長チャネル処理部６２がその誤りに関連する伝送フレームを復元するようにしてもよい。
つまり、冗長チャネル処理部６２は、フレーム処理部６１が誤り検出符号に基づいて誤りを検出した場合に、冗長フレームに含まれる復元情報と、異常が検出されなかったデータチャネルの分割フレームとに基づいて、異常が検出されたデータチャネルの分割フレームを復元する。
【００２５】
フレーム処理部６１は、伝送フレームを基にクライアント信号を復元する。フレーム処理部６１は、伝送フレームに付加されていた誤り検出符号について演算を行い、誤りの有無を判定する。フレーム処理部６１は、ある伝送フレームについて誤りを検出した場合には、冗長チャネル処理部６２が冗長フレームに含まれる復元情報と誤りが検出されていない伝送フレームとに基づいて復元された伝送フレームを基に、クライアント信号（分割前の元のフレーム）を復元して出力する。
つまり、フレーム処理部６１は、送受信部６４から渡される分割フレームに付加された誤り検出符号により誤り検出の処理を行う。誤りが検出されなかった場合には当該分割フレームに基づき、また誤りが検出された場合には冗長フレームを用いて復元された分割フレームに基づき、元のフレームを再構成して出力する。
【００２６】
図２は、本実施形態の第１の適用例を示す概略図である。同図（ａ）は初期状態を示し、同図（ｂ）は障害状態を示す。本図では、初期状態（ａ）から開始し、途中の所定の時点で障害が発生することにより、障害状態（ｂ）に移行することを想定している。図示する構成において、伝送路区間におけるクロスコネクト部１０６は、送受信部２４と、その出力先の方路との接続関係を制御する。
【００２７】
（ａ）初期状態
図示するように、データチャネルおよび冗長チャネルを含む複数のクライアント信号は、チャネル選択部２３に対して入力され、さらに送受信部２４を介して伝送路１０１へ出力される。データチャネルに対する冗長チャネル数や、それらのチャネルのクライアント信号が送出される方路は、クライアント信号毎に異なっていてもよい。図示する例では、クライアント１とクライアント２が存在する。クライアント１に関しては、初期状態において、２つのデータチャネルおよび１つの冗長チャネルの信号が方路Ａに対して出力される。クライアント２に関しては、同じく初期状態において、１つデータチャネルおよび２つの冗長チャネルの信号が方路Ｂに対して出力される。
【００２８】
（ｂ）障害状態
ここで、方路Ａに出力していたクライアント１のデータチャネルまたは冗長チャネルのうち１チャネルの送受信部に障害が発生する場合を仮定する。クライアント１は１つの冗長チャネルを持っている。したがって、受信側の通信ノード装置２で障害発生を検出し、障害の発生したチャネルがデータチャネルであった場合は、受信側の冗長チャネル処理部６２によって障害の発生した信号を、瞬断を発生させることなく正常に復元することができる。この時点で、クライアント１の冗長チャネル数が０になる。しかしながら、チャネル選択部２３は、クライアント２側で冗長チャネルに割り当てていた送受信部２４をクライアント１に割り当て直す。さらに、それに合わせて、クロスコネクト部１０６の接続関係を変更する。即ち、クライアント２からクライアント１に割り当てなおした送受信部２４に対応する割当先を、方路Ｂから方路Ａに変更するよう制御する。このことにより、クライアント１および２の双方にそれぞれ少なくとも１チャネル分の冗長チャネルを確保することができる。
【００２９】
図３は、本実施形態の第２の適用例を示す概略図である。同図に示す例では、方路が同一である２つのクライアントがチャネル選択部２３に接続されている。同図（ａ）は初期状態を示し、同図（ｂ）は遷移先状態を示す。本図では、初期状態（ａ）から開始し、途中の所定の時点でクライアント１の信頼性を向上させる要求が発生することにより、遷移先状態（ｂ）に移行することを想定している。
【００３０】
（ａ）初期状態
初期状態において、クライアント１は、２チャネルのデータチャネルと１チャネルの冗長チャネルとを持つ。また、初期状態において、クライアント２は、２チャネルのデータチャネルのみを持つ。また、初期状態において、通信ノード装置１は、１つの送受信部２４（同図（ａ）における最も下の送受信部２４）を空きリソースとして持つ。
（ｂ）遷移先状態
ここで、クライアント１の信頼性を上げる要求が発生した場合、当該要求を満たすために、空きリソースとなっていた送受信部２４を利用することができる。つまり、チャネル選択部２３は、空きリソースであった送受信部２４を、クライアント１に割り当てるように変更する。これにより、クライアント１が利用するチャネル数が増え、クライアント１に関する通信の信頼性が向上する。
【００３１】
このように、チャネル選択部２３がデータチャネルおよび冗長チャネルを切り替えることにより、未割当の送受信部を、方路がそれぞれ異なる任意のクライアントに対する障害復旧や信頼性の向上などの用途に適用することができる。
【００３２】
［第２実施形態］
次に、第２実施形態について説明する。なお、前実施形態において既に説明した事項については以下において説明を省略する場合がある。ここでは、本実施形態に特有の事項を中心に説明する。第１実施形態では、通信ノード装置１において、各フレーム処理部２１に対して１つの冗長チャネル処理部２２が設けられていた。また、通信ノード装置２において、各フレーム処理部６１に対して１つの冗長チャネル処理部６２が設けられていた。そして、第１実施形態では、各クライアント信号を収容するフレーム処理部２１に対して設定可能な冗長チャネル数の上限値が、冗長チャネル処理部２２によって決定されていた。これに対し、本実施形態では、送信側の通信ノード装置３において、複数の冗長チャネル処理部２７からなる冗長チャネル処理群２７Ｇが、複数のフレーム処理部２１によって共有される構成となっている。また、本実施形態では、受信側の通信ノード装置４において、複数の冗長チャネル処理部６７からなる冗長チャネル処理群６７Ｇが、複数のフレーム処理部６１によって共有される構成となっている。
【００３３】
図４は、第２実施形態による伝送システムの概略機能構成を示すブロック図である。図示するように、この伝送システムは、伝送路１０１と、その端点における通信ノード装置３および４とを含んで構成される。通信ノード装置３は送信側の通信ノード装置（送信装置）であり、通信ノード装置４は受信側の通信ノード装置（受信装置）である。同図では信号の流れを片方向（通信ノード装置１から通信ノード装置２への方向）のみ示しているが、通信ノード装置が送信側と受信側の両方の機能を備えることにより、双方向の通信も容易に実現可能である。
【００３４】
送信側である通信ノード装置３は、複数のフレーム処理部２１と、複数の冗長チャネル処理部２７からなる冗長チャネル処理群２７Ｇと、チャネル選択部２３と、複数の送受信部２４とを含んで構成される。
受信側である通信ノード装置４は、複数のフレーム処理部６１と、複数の冗長チャネル処理部６７からなる冗長チャネル処理群６７Ｇと、チャネル選択部６３と、複数の送受信部６４とを含んで構成される。
【００３５】
冗長チャネル処理群２７Ｇは、１以上の冗長チャネル処理部２７を有する。冗長チャネル処理群２７Ｇは、２以上のフレーム処理部２１によって共有される。冗長チャネル処理群２７Ｇは、任意のフレーム処理部２１が出力した分割フレームを基に、冗長チャネル処理群２７Ｇが生成可能な冗長フレーム数を上限とした数の冗長フレームを生成する。
冗長チャネル処理群２７Ｇは、各々のフレーム処理部２１から複製されたフレームがどの冗長チャネル処理部２７に収容されるかを選択する機能を持つ。この構成により、単一のフレーム処理部２１から生成可能な冗長チャネル数は、最大で、（１つの冗長チャネル処理部２７で生成可能な冗長チャネル数）×（冗長チャネル処理部２７の数）となる。つまり、第１実施形態の場合と比較して、本実施形態では、大幅に増加したチャネルの冗長性を確保することが可能となる。また、さらに、複数のクライアント間で冗長チャネル数を融通し合うことにより、第１実施形態の場合と比較して、冗長チャネル処理部２７の効率的な利用が可能になる。
【００３６】
その他の点については、本実施形態の機能、動作は、第１実施形態のそれらと同様である。
【００３７】
［第３実施形態］
次に、第３実施形態について説明する。なお、前実施形態までにおいて既に説明した事項については以下において説明を省略する場合がある。ここでは、本実施形態に特有の事項を中心に説明する。第３実施形態の特徴は、遠隔地に配置したオペレーションシステムが、通信ノード装置におけるフレーム処理部から送出される分割フレームに対して、データチャネル処理部から送出される冗長チャネル数と、チャネル選択部にて選択される送受信部とを、設定・制御する点である。
【００３８】
図５は、第３実施形態による伝送システムの概略機能構成を示すブロック図である。図示するように、この伝送システムは、伝送路１０１，１０２，１０３と、それらの伝送路の端点に配した通信ノード装置５，６，７と、オペレーションシステム１２１とを含んで構成される。伝送路１０１は、通信ノード装置５と通信ノード装置６とを直接結ぶ伝送路である。伝送路１０２は、通信ノード装置５と通信ノード装置７とを直接結ぶ伝送路である。伝送路１０３は、通信ノード装置７と通信ノード装置６とを直接結ぶ伝送路である。通信ノード装置５は送信側の通信ノード装置（送信装置）であり、通信ノード装置６は受信側の通信ノード装置（受信装置）である。
【００３９】
本実施形態では、通信ノード装置７は、通信ノード装置５から通信ノード装置６へのデータの伝送を中継する役割を持つ。言い換えれば、通信ノード装置５から通信ノード装置６への経路としては、伝送路１０１を経由する経路と、伝送路１０２と通信ノード装置７と伝送路１０３とを経由する経路とが存在する。
【００４０】
送信側である通信ノード装置５は、複数のフレーム処理部２１と、複数の冗長チャネル処理部２２と、チャネル選択部２３と、複数の送受信部２４と、制御部２８と、クロスコネクト部１０７とを含んで構成される。
受信側である通信ノード装置６は、複数のフレーム処理部６１と、複数の冗長チャネル処理部６２と、チャネル選択部６３と、複数の送受信部６４と、制御部６８と、クロスコネクト部１０８とを含んで構成される。
また、通信ノード装置７は、通信ノード装置５が有する送信装置としての機能と、通信ノード装置６が有する受信装置としての機能を備える。また、通信ノード装置７もまた、制御部７８を含んで構成される。
【００４１】
通信ノード装置５内のクロスコネクト部１０７は、複数の送受信部２４の各々について、伝送路の方路別の接続を制御する。
また、通信ノード装置６内のクロスコネクト部１０８は、複数の送受信部６４の各々について、方路別の接続を制御する。
【００４２】
本実施形態の特徴は、通信ノード装置５が制御部２８を有し、通信ノード装置６が制御部６８を有し、通信ノード装置７が制御部７８を有する点である。また、本実施形態に特有のオペレーションシステム１２１は、上記の制御部２８，６８，７８のそれぞれとの間で双方向の通信を行う。オペレーションシステム１２１は、通信ノード装置５，６，７のそれぞれから遠隔の地に設置されていてもよい。オペレーションシステム１２１は、制御部２８，６８，７８を介して、それぞれ、通信ノード装置５，６，７を制御する。その制御の具体的な内容は、次の通りである。
【００４３】
通信ノード装置５，６，７の、それぞれ、制御部２８，６８，７８は、データチャネルの異常が検出された場合にはその異常をオペレーションシステム１２１に通知する。
オペレーションシステム１２１は、制御部２８．６８．７８から通知されるデータチャネルの異常の情報を受信する。また、オペレーションシステム１２１は、フレーム処理部の新規設定や、帯域増速あるいは帯域減速や、冗長度向上などの需要に関する情報を外部から（例えば、オペレーションシステム１２１のユーザーインターフェースなどを介して）取得する。オペレーションシステム１２１は、上記の、データチャネルの異常通知や、フレーム処理部の新規設定や、帯域増速あるいは帯域減速や、冗長度向上の需要などに基づいて、分割フレームまたは冗長フレームの割り当て先となる送受信部を決定し、チャネル選択部での振り分け先を設定する。オペレーションシステム１２１によるこの設定は、通信ノード装置５，６，７の、それぞれ、制御部２８，６８，７８に伝えられ、通信ノード装置側での設定が行われる。
【００４４】
つまりオペレーションシステム１２１は、送信側の通信ノード装置におけるフレーム処理部から送出される分割フレームに対して、送信側の通信ノード装置におけるデータチャネル処理部から送出される冗長チャネル数と、送信側の通信ノード装置におけるチャネル選択部にて選択される送受信部とを、制御・設定するものである。
【００４５】
［第３実施形態の変形例］
なお、変形例として、本実施形態と、第２実施形態とを組み合わせて実施するようにしてもよい。言い換えれば、本実施形態において、通信ノード装置が冗長チャネル処理群を備えるようにする。即ち、各通信ノード装置は、図４に示した通信ノード装置３や通信ノード装置４と同様に、冗長チャネル処理群（２７Ｇ，６７Ｇ）を備える。また、各通信ノード装置は、図５に示した通信ノード装置５や通信ノード装置６や通信ノード装置７と同様に、制御部（２８，６８，７８）を備える。そして、オペレーションシステム１２１は、各通信ノード装置の制御部を介して、各フレーム処理部によって生成された分割フレームをどの冗長チャネル処理部に割り当てるかを制御する。
【００４６】
本実施形態およびその変形例によれば、オペレーションシステム１２１が制御機能を備え、各通信ノード装置に関する各種設定、制御を行う。オペレーションシステム１２１は通信ノード装置とは遠隔の地に設けられていてよい。これにより、複数チャネルから構成される冗長システムを容易に構成することが可能となる。
【００４７】
なお、上述した各実施形態および変形例における通信ノード装置およびオペレーションシステムの少なくとも一部の機能をコンピューターで実現することができる。その場合、この機能を実現するためのプログラムをコンピューター読み取り可能な記録媒体に記録して、この記録媒体に記録されたプログラムをコンピューターシステムに読み込ませ、実行することによって実現しても良い。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ、ＤＶＤ−ＲＯＭ、ＵＳＢメモリー等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、一時的に、動的にプログラムを保持するもの、その場合のサーバーやクライアントとなるコンピューターシステム内部の揮発性メモリーのように、一定時間プログラムを保持しているものも含んでも良い。また上記プログラムは、前述した機能の一部を実現するためのものであっても良く、さらに前述した機能をコンピューターシステムにすでに記録されているプログラムとの組み合わせで実現できるものであっても良い。
【００４８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４９】
本発明は、例えば、データの通信のために利用することができる。但し、本発明の利用範囲はここに例示したものには限られない。
【符号の説明】
【００５０】
１，３，５  通信ノード装置（送信装置）
２，４，６  通信ノード装置（受信装置）
７  通信ノード装置
２１  フレーム処理部
２２  冗長チャネル処理部
２３  チャネル選択部
２４  送受信部
２７  冗長チャネル処理部
２７Ｇ  冗長チャネル処理群
２８  制御部
６１  フレーム処理部
６２  冗長チャネル処理部
６３  チャネル選択部
６４  送受信部
６７  冗長チャネル処理部
６７Ｇ  冗長チャネル処理群
６８，７８  制御部
１０１，１０２，１０３  伝送路
１０６，１０７，１０８  クロスコネクト部
１２１  オペレーションシステム
【図１】
2020010180.tif 000003
【図２】
2020010180.tif 000004
【図３】
2020010180.tif 000005
【図４】
2020010180.tif 000006
【図５】
2020010180.tif 000007
【図６】
2020010180.tif 000008